【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
スパウト装着位置に供給されたパウチのスパウト装着縁を一対のオープナによって吸引把持した後、スパウト装着縁を吸引把持している一対のオープナを相互に離反させることによってスパウト装着縁を開き、その開いたスパウト装着縁にスパウトを挿入した後、スパウトをスパウト装着縁にヒートシールするようにしたスパウト装着装置において、
パウチのスパウト装着縁におけるスパウト装着部の両外側に、予め、位置決め穴を形成しておき、
スパウト装着位置に供給されたパウチのスパウト装着縁を一対のオープナによって開く前に、パウチの位置決め穴に位置決めピンを挿入してパウチを位置決めし、
双方の位置決めピンを相対的に接近させることによって、スパウト装着縁における位置決め穴の間を弛ませるように構成したことを特徴とするスパウト装着装置。
【請求項２】
スパウト装着位置に供給されたパウチのスパウト装着縁を一対のオープナによって吸引把持した後、スパウト装着縁を吸引把持している一対のオープナを相互に離反させることによってスパウト装着縁を開き、その開いたスパウト装着縁にスパウトを挿入した後、スパウトをスパウト装着縁にヒートシールするようにしたスパウト装着装置において、
パウチのスパウト装着縁におけるスパウト装着部の一方の外側に、予め、少なくとも２個の位置決め穴を形成しておき、
スパウト装着位置に供給されたパウチのスパウト装着縁を一対のオープナによって開く前に、パウチの位置決め穴に位置決めピンを挿入してパウチを位置決めすると共に、パウチのスパウト装着縁におけるスパウト装着部の他方の外側をクランパによって把持し、
位置決めピン及びクランパを相対的に接近させることによって、スパウト装着縁における位置決め穴とクランパによる把持部との間を弛ませるように構成したことを特徴とするスパウト装着装置。
【請求項３】
スパウト付きパウチ容器を形成するためのパウチであって、
スパウトが挟み込まれた状態でヒートシールされるスパウト装着縁を有し、
前記スパウト装着縁におけるスパウトの装着部の両外側又は一方の外側に位置決め穴が形成されていることを特徴とするパウチ。
【請求項４】
請求項３に記載のパウチが連続的に繋がったパウチ形成基材。
【手続補正２】
【補正対象書類名】明細書
【補正対象項目名】発明の名称
【補正方法】変更
【補正の内容】
【発明の名称】スパウト装着装置並びにそのスパウト装着装置に適したパウチ及びパウチ形成基材
【手続補正３】
【補正対象書類名】明細書
【補正対象項目名】０００１
【補正方法】変更
【補正の内容】
【０００１】
この発明は、パウチにスパウトを装着するスパウト装着装置並びにそのスパウト装着装置に適したパウチ及びパウチ形成基材に関する。
【手続補正４】
【補正対象書類名】明細書
【補正対象項目名】０００６
【補正方法】変更
【補正の内容】
【０００６】
そこで、この発明の課題は、簡単な機構で、パウチの適正位置に確実にスパウトを装着することができるスパウト装着装置並びにそのスパウト装着装置に適したパウチ及びパウチ形成基材を提供することにある。
【手続補正５】
【補正対象書類名】明細書
【補正対象項目名】０００７
【補正方法】変更
【補正の内容】
【０００７】
上記の課題を解決するため、請求項１にかかる発明は、スパウト装着位置に供給されたパウチのスパウト装着縁を一対のオープナによって吸引把持した後、スパウト装着縁を吸引把持している一対のオープナを相互に離反させることによってスパウト装着縁を開き、その開いたスパウト装着縁にスパウトを挿入した後、スパウトをスパウト装着縁にヒートシールするようにしたスパウト装着装置において、パウチのスパウト装着縁におけるスパウト装着部の両外側に、予め、位置決め穴を形成しておき、スパウト装着位置に供給されたパウチのスパウト装着縁を一対のオープナによって開く前に、パウチの位置決め穴に位置決めピンを挿入してパウチを位置決めし、双方の位置決めピンを相対的に接近させることによって、スパウト装着縁における位置決め穴の間を弛ませるように構成したことを特徴とするスパウト装着装置を提供するものである。
【手続補正６】
【補正対象書類名】明細書
【補正対象項目名】０００８
【補正方法】変更
【補正の内容】
【０００８】
また、上記の課題を解決するため、請求項２にかかる発明は、スパウト装着位置に供給されたパウチのスパウト装着縁を一対のオープナによって吸引把持した後、スパウト装着縁を吸引把持している一対のオープナを相互に離反させることによってスパウト装着縁を開き、その開いたスパウト装着縁にスパウトを挿入した後、スパウトをスパウト装着縁にヒートシールするようにしたスパウト装着装置において、パウチのスパウト装着縁におけるスパウト装着部の一方の外側に、予め、少なくとも２個の位置決め穴を形成しておき、スパウト装着位置に供給されたパウチのスパウト装着縁を一対のオープナによって開く前に、パウチの位置決め穴に位置決めピンを挿入してパウチを位置決めすると共に、パウチのスパウト装着縁におけるスパウト装着部の他方の外側をクランパによって把持し、位置決めピン及びクランパを相対的に接近させることによって、スパウト装着縁における位置決め穴とクランパによる把持部との間を弛ませるように構成したことを特徴とするスパウト装着装置を提供するものである。
【手続補正７】
【補正対象書類名】明細書
【補正対象項目名】０００９
【補正方法】変更
【補正の内容】
【０００９】
請求項１又は２にかかる発明のスパウト装着装置を実施するためには、請求項３にかかる発明のように、スパウト付きパウチ容器を形成するためのパウチであって、スパウトが挟み込まれた状態でヒートシールされるスパウト装着縁を有し、前記スパウト装着縁におけるスパウトの装着部の両外側又は一方の外側に位置決め穴が形成されていることを特徴とするパウチまたは請求項４にかかる発明のように、請求項３にかかる発明のパウチが連続的に繋がったパウチ形成基材を使用することになる。
【手続補正８】
【補正対象書類名】明細書
【補正対象項目名】００１０
【補正方法】変更
【補正の内容】
【００１０】
以上のように、請求項１にかかる発明のスパウト装着装置では、スパウト装着位置に供給されたパウチのスパウト装着縁を一対のオープナによって開く前に、パウチの位置決め穴に位置決めピンを挿入してパウチを位置決めするようにしているので、パウチの位置ずれを確実に防止することができると共に、双方の位置決めピンを相対的に接近させることによって、スパウト装着縁における位置決め穴の間を弛ませるようにしているので、スパウト装着縁を弛ませる際に、スパウト装着縁が予備的に開き、その後に行われる一対のオープナによる開口動作により、スパウト装着縁を確実に開くことができる。
【手続補正９】
【補正対象書類名】明細書
【補正対象項目名】００１１
【補正方法】変更
【補正の内容】
【００１１】
また、請求項２にかかる発明のスパウト装着装置では、スパウト装着位置に供給されたパウチのスパウト装着縁を一対のオープナによって開く前に、パウチの位置決め穴に位置決めピンを挿入してパウチを位置決めするようにしているので、パウチの位置ずれを確実に防止することができると共に、位置決めピン及びクランパを相対的に接近させることによって、スパウト装着縁における位置決め穴とクランパによる把持部との間を弛ませるようにしているので、スパウト装着縁を弛ませる際に、スパウト装着縁が予備的に開き、その後に行われる一対のオープナによる開口動作により、スパウト装着縁を確実に開くことができる。
【手続補正１０】
【補正対象書類名】明細書
【補正対象項目名】００１２
【補正方法】変更
【補正の内容】
【００１２】
以上のように、請求項１及び２にかかる発明のスパウト装着装置では、パウチの位置決めと、パウチにおけるスパウト装着縁の予備開口とを共通の部材を用いて行っているので、簡単な機構で、パウチの適正位置に確実にスパウトを装着することができる。
【手続補正１１】
【補正対象書類名】明細書
【補正対象項目名】００１３
【補正方法】変更
【補正の内容】
【００１３】
以下、実施の形態について図面を参照して説明する。図１は、本発明のスパウト装着装置によって、図２（ａ）に示すパウチＰに、同図（ｂ）、（ｃ）に示すスパウトＳが装着されたスパウト付きパウチ容器を示している。